(57)【要約】【課題】  操作を容易にすること。【解決手段】  ＭＦＰは、受付面を有し、受付面におけるユーザにより指示された位置を検出するタッチパネルと、タッチパネルにより受付面において同時に検出される位置の数に基づいて操作対象物の種類を判別する操作対象判別部５３と、判別された操作対象物の種類に基づいて、予め定められた複数の操作体系のうちからいずれか１つを決定する操作体系決定部５５と、タッチパネルにより検出された位置に基づいて、複数の操作体系のうち決定された操作体系に従った操作を受け付ける操作受付部６１と、を備える。【選択図】        図４
2010003098.tif 000002
【特許請求の範囲】
【請求項１】
受付面を有し、前記受付面におけるユーザにより指示された位置を検出するポインティングデバイスと、
前記ポインティングデバイスにより前記受付面において同時に検出される位置の数に基づいて操作対象物の種類を判別する操作対象判別手段と、
前記判別された操作対象物の種類に基づいて、予め定められた複数の操作体系のうちからいずれか１つを決定する操作体系決定手段と、
前記ポインティングデバイスにより検出された位置に基づいて、前記複数の操作体系のうち前記決定された操作体系に従った操作を受け付ける操作受付手段と、を備えた入力装置。
【請求項２】
前記操作対象判別手段は、前記ポインティングデバイスにより所定数以下の位置が検出される場合、第１種類を判別し、前記ポインティングデバイスにより前記所定数を越える位置が検出される場合、第２種類を判別する、請求項１に記載の入力装置。
【請求項３】
前記複数の操作体系は、前記ポインティングデバイスにより検出される複数の位置で操作が特定される第１の操作体系と、前記ポインティングデバイスにより検出される単一の位置で操作が特定される第２の操作体系と、を含む請求項１に記載の入力装置。
【請求項４】
前記複数の操作体系それぞれに対応する複数種類の操作画面を前記ポインティングデバイスの前記受付面に重畳して表示可能な画面表示手段をさらに備え、
前記画面表示手段は、前記複数種類の操作画面のうち前記決定された操作体系に対応する種類の操作画面を表示する、請求項１に記載の入力装置。
【請求項５】
ポインティングデバイスを備えた入力装置で実行される操作受付方法であって、
前記ポインティングデバイスの受付面におけるユーザにより指示された位置を検出するステップと、
前記ポインティングデバイスにより同時に検出される位置の数に基づいて操作対象物の種類を判別するステップと、
前記判別された操作対象物の種類に基づいて、予め定められた複数の操作体系のうちからいずれか１つを決定するステップと、
前記ポインティングデバイスにより検出された位置に基づいて、前記複数の操作体系のうち前記決定された操作体系に従った操作を受け付けるステップと、を含む操作受付方法。
【請求項６】
ポインティングデバイスを備えたコンピュータで実行される操作受付プログラムであって、
前記ポインティングデバイスの受付面におけるユーザにより指示された位置を検出するステップと、
前記ポインティングデバイスにより同時に検出される位置の数に基づいて操作対象物の種類を判別するステップと、
前記判別された操作対象物の種類に基づいて、予め定められた複数の操作体系のうちからいずれか１つを決定するステップと、
前記ポインティングデバイスにより検出された位置に基づいて、前記複数の操作体系のうち前記決定された操作体系に従った操作を受け付けるステップと、をコンピュータに実行させる操作受付プログラム。
【発明の詳細な説明】
【技術分野】
【０００１】
この発明は、入力装置、操作受付方法および操作受付プログラムに関し、特にタッチパネルを備えた入力装置、その入力装置で実行される操作受付方法およびその方法をコンピュータに実行させるための操作受付プログラムに関する。
【背景技術】
【０００２】
ＭＦＰで代表される画像形成装置は、多機能化に伴い操作が複雑になっている。操作を簡便にするために、タッチパネルを用いたものが登場しており、タッチパネルを用いた入力を容易にする技術が開発されている。例えば、特開平７−１１１６４４号公報（特許文献１）には、オペレータの手の指によるタッチ操作を検出するパネル面を有したパネル入力装置であって、タッチ操作位置間隔設定のための設定モード下における上記パネル面に対する複数の指によるタッチ操作により、そのタッチ操作された各指による操作位置の隣り合う間隔を検出する検出手段と、その検出された操作位置の隣り合う間隔に基づいて、複数の指によるタッチ操作位置間隔を設定する設定手段と、を具備したことを特徴とするパネル入力装置が記載されている。
【０００３】
一方、タッチパネルを用いた入力方法には、人が指でタッチパネルに直接触れる入力方法の他に、スタイラスペンでタッチパネルに触れる入力方法がある。スタイラスペンを用いた入力方法は、スタイラスペンとタッチパネルとの接触面積が、指とタッチパネルとの接触面積に比較して小さいため、細かい操作を入力するのに適している。このため、ボタン操作で指示を入力する操作体系とは別に、例えばドラッグアンドドロップ等といった操作体系で指示を入力することが可能となる。従来の入力装置は、人の手のサイズに応じてキーサイズを設定することができるが、スタイラスペンに適した操作体系での入力方法に対応することができないといった問題がある。
【特許文献１】特開平７−１１１６４４号公報
【発明の開示】
【発明が解決しようとする課題】
【０００４】
この発明は上述した問題点を解決するためになされたもので、この発明の目的の１つは、操作を容易にした入力装置を提供することである。
【０００５】
この発明の他の目的は、操作を容易にした操作受付方法を提供することである。
【０００６】
この発明のさらに他の目的は、操作を容易にした操作受付プログラムを提供することである。
【課題を解決するための手段】
【０００７】
上述した目的を達成するためにこの発明のある局面によれば、受付面を有し、受付面におけるユーザにより指示された位置を検出するポインティングデバイスと、ポインティングデバイスにより受付面において同時に検出される位置の数に基づいて操作対象物の種類を判別する操作対象判別手段と、判別された操作対象物の種類に基づいて、予め定められた複数の操作体系のうちからいずれか１つを決定する操作体系決定手段と、ポインティングデバイスにより検出された位置に基づいて、複数の操作体系のうち決定された操作体系に従った操作を受け付ける操作受付手段と、を備える。
【０００８】
この局面によれば、受付面におけるユーザにより同時に検出される位置の数に基づいて操作対象物の種類が判別され、操作対象物の種類に基づいて、予め定められた複数の操作体系のうちからいずれか１つが決定され、決定された操作体系に従って操作が受け付けられる。このため、操作対象物に応じた操作体系に変更するので、操作の入力が容易になる。また、操作対象物による操作で種類が判別されるので、ユーザは操作体系を変更するために特別な指示を入力しなくてよく、操作を簡略にすることができる。その結果、操作を容易にした入力装置を提供することができる。
【０００９】
好ましくは、操作対象判別手段は、ポインティングデバイスにより所定数以下の位置が検出される場合、第１種類を判別し、ポインティングデバイスにより所定数を越える位置が検出される場合、第２種類を判別する。
【００１０】
好ましくは、複数の操作体系は、ポインティングデバイスにより検出される複数の位置で操作が特定される第１の操作体系と、ポインティングデバイスにより検出される単一の位置で操作が特定される第２の操作体系と、を含む。
【００１１】
好ましくは、複数の操作体系それぞれに対応する複数種類の操作画面をポインティングデバイスの受付面に重畳して表示可能な画面表示手段をさらに備え、画面表示手段は、複数種類の操作画面のうち決定された操作体系に対応する種類の操作画面を表示する。
【００１２】
この発明の他の局面によれば、操作受付方法は、ポインティングデバイスを備えた入力装置で実行される操作受付方法であって、ポインティングデバイスの受付面におけるユーザにより指示された位置を検出するステップと、ポインティングデバイスにより同時に検出される位置の数に基づいて操作対象物の種類を判別するステップと、判別された操作対象物の種類に基づいて、予め定められた複数の操作体系のうちからいずれか１つを決定するステップと、ポインティングデバイスにより検出された位置に基づいて、複数の操作体系のうち決定された操作体系に従った操作を受け付けるステップと、を含む。
【００１３】
この局面に従えば、操作を容易にした操作受付方法を提供することができる。
【００１４】
この発明のさらに他の局面によれば、操作受付プログラムは、ポインティングデバイスを備えたコンピュータで実行される操作受付プログラムであって、ポインティングデバイスの受付面におけるユーザにより指示された位置を検出するステップと、ポインティングデバイスにより同時に検出される位置の数に基づいて操作対象物の種類を判別するステップと、判別された操作対象物の種類に基づいて、予め定められた複数の操作体系のうちからいずれか１つを決定するステップと、ポインティングデバイスにより検出された位置に基づいて、複数の操作体系のうち決定された操作体系に従った操作を受け付けるステップと、をコンピュータに実行させる。
【００１５】
この局面に従えば、操作を容易にした操作受付プログラムを提供することができる。
【発明を実施するための最良の形態】
【００１６】
以下、本発明の実施の形態について図面を参照して説明する。以下の説明では同一の部品には同一の符号を付してある。それらの名称および機能も同じである。したがってそれらについての詳細な説明は繰返さない。
【００１７】
図１は、本発明の実施の形態の１つにおけるＭＦＰの外観を示す斜視図である。図２は、ＭＦＰのハードウェア構成の一例を示すブロック図である。図１および図２を参照して、ＭＦＰ１００は、メイン回路１１０と、原稿に形成された原稿画像を読み取るための原稿読取部１３０と、原稿を原稿読取部１３０に搬送するための自動原稿搬送装置１２０と、原稿読取部１３０が原稿に形成された原稿画像を読み取って出力する静止画像を用紙等に形成するための画像形成部１４０と、画像形成部１４０に用紙を供給するための給紙部１５０と、ユーザインターフェースとしての操作パネル１６０と、を含む。
【００１８】
メイン回路１１０は、ＣＰＵ１１１と、通信インターフェース（Ｉ／Ｆ）部１１２と、ＲＯＭ１１３と、ＲＡＭ１１４と、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）１１５と、大容量記憶装置としてのハードディスクドライブ（ＨＤＤ）１１６と、ファクシミリ部１１７と、フラッシュメモリ１１８Ａが装着されるカードインターフェース（Ｉ／Ｆ）１１８とを含む。ＣＰＵ１１１は、自動原稿搬送装置１２０、原稿読取部１３０、画像形成部１４０、給紙部１５０および操作パネル１６０と接続され、ＭＦＰ１００の全体を制御する。
【００１９】
ＲＯＭ１１３は、ＣＰＵ１１１が実行するプログラム、またはそのプログラムを実行するために必要なデータを記憶する。ＲＡＭ１１４は、ＣＰＵ１１１がプログラムを実行する際の作業領域として用いられる。また、ＲＡＭ１１４は、原稿読取部１３０から連続的に送られてくる静止画像を一時的に記憶する。
【００２０】
操作パネル１６０は、ＭＦＰ１００の上面に設けられ、表示部１６１と操作部１６３とを含む。表示部１６１は、液晶表示装置（ＬＣＤ）、有機ＥＬＤ（Ｅｌｅｃｔｒｏｌｕｍｉｎｅｓｃｅｎｃｅ  Ｄｉｓｐｌａｙ）等の表示装置であり、ユーザに対する指示メニューや取得した画像データに関する情報等を含む操作画面を表示する。操作部１６３は、複数のキーを備え、キーに対応するユーザの操作による各種の指示、文字、数字などのデータの入力を受付ける。操作部１６３は、表示部１６１上に設けられたタッチパネル１６５をさらに含む。
【００２１】
通信Ｉ／Ｆ部１１２は、ＭＦＰ１００をネットワークに接続するためのインターフェースである。ＣＰＵ１１１は、通信Ｉ／Ｆ部１１２を介してネットワークに接続された他のコンピュータとの間で通信し、データを送受信する。また、通信Ｉ／Ｆ部１１２は、ネットワークを介してインターネットに接続されたコンピュータと通信が可能である。
【００２２】
ファクシミリ部１１７は、公衆交換電話網（ＰＳＴＮ）に接続され、ＰＳＴＮにファクシミリデータを送信する、またはＰＳＴＮからファクシミリデータを受信する。ファクシミリ部１１７は、受信したファクシミリデータを、ＨＤＤ１１６に記憶する、または画像形成部１４０に出力する。画像形成部１４０は、ファクシミリ部１１７により受信されたファクシミリデータを用紙に印刷する。また、ファクシミリ部１１７は、ＨＤＤ１１６に記憶されたデータをファクシミリデータに変換して、ＰＳＴＮに接続されたファクシミリ装置に送信する。
【００２３】
カードＩ／Ｆ１１８は、フラッシュメモリ１１８Ａが装着される。ＣＰＵ１１１は、カードＩ／Ｆ１１８を介してフラッシュメモリ１１８Ａにアクセス可能である。ＣＰＵ１１１は、カードＩ／Ｆ１１８に装着されたフラッシュメモリ１１８Ａに記録されたプログラムをＲＡＭ１１４にロードして実行する。なお、ＣＰＵ１１１が実行するプログラムは、フラッシュメモリ１１８Ａに記録されたプログラムに限られず、ＨＤＤ１１６に記憶されたプログラムをＲＡＭ１１４にロードして実行するようにしてもよい。この場合、ネットワークに接続された他のコンピュータが、ＭＦＰ１００のＨＤＤ１１６に記憶されたプログラムを書換える、または、新たなプログラムを追加して書き込むようにしてもよい。さらに、ＭＦＰ１００が、ネットワークに接続された他のコンピュータからプログラムをダウンロードして、そのプログラムをＨＤＤ１１６に記憶するようにしてもよい。ここでいうプログラムは、ＣＰＵ１１１が直接実行可能なプログラムだけでなく、ソースプログラム、圧縮処理されたプログラム、暗号化されたプログラム等を含む。
【００２４】
図３は、操作パネルの一例を示す平面図である。図３を参照して、操作パネル１６０は、表示部１６１と、操作部１６３とを含む。操作部１６３は、テンキー１６３Ａと、スタートキー１６３Ｂと、入力内容をキャンセルするためのクリアキー１６３Ｃと、コピー処理を実行するためのコピーモードにＭＦＰ１００を遷移させるためのコピーキー１６３Ｄと、スキャン処理を実行するためのスキャンモードにＭＦＰ１００を遷移させるためのスキャンキー１６３Ｅと、データ送信処理を実行するためのデータ送信モードにＭＦＰ１００を遷移させるためのＢＯＸキー１６３Ｆと、表示部１６１に重畳され、透明な部材からなるタッチパネル１６５と、を含む。タッチパネルは、ポインティングデバイスであり、操作を受け付けるための受付面を有する。タッチパネル１６５の方式は、特に限定するものではないが、例えば、抵抗膜方式または表面弾性波方式などであればよい。
【００２５】
図４は、ＭＦＰが備えるＣＰＵの機能の一例をＨＤＤに記憶される情報とともに示す機能ブロック図である。図４を参照して、ＭＦＰ１００が備えるＣＰＵ１１１は、タッチパネル１６５を制御するためのタッチパネル制御部５１と、タッチパネル１６５に触れた操作対象物を判別する操作対象判別部５３と、操作体系を決定する操作体系決定部５５と、表示部１６１を制御するための画面表示制御部５７と、タッチパネル１６５が指示された位置を検出する指示位置検出部５９と、操作を受け付ける操作受付部６１と、受け付けられた操作に従って処理を実行する処理実行部６３と、を含む。
【００２６】
タッチパネル制御部５１は、タッチパネル１６５を制御する。タッチパネル１６５は、指またはスタイラスペンで指示された位置を検出し、検出した位置の座標をＣＰＵ１１１に出力する。指がタッチパネル１６５に触れる面積は、スタイラスペンがタッチパネル１６５に触れる面積よりも大きい、このため、タッチパネル１６５は、指がタッチパネル１６５に触れた場合に同時に検出する位置の数は、スタイラスペンがタッチパネル１６５に触れた場合に同時に検出する位置の数よりも多い。タッチパネル制御部５１は、タッチパネル１６５から入力される位置の座標を操作対象判別部５３および指示位置検出部５９に出力する。タッチパネル制御部５１は、タッチパネル１６５から複数の位置の座標が入力される場合には、複数の位置の座標のすべてを、操作対象判別部５３および指示位置検出部５９に出力する。
【００２７】
画面表示制御部５７は、表示部１６１を制御し、表示部１６１に画面を表示させる。画面表示制御部５７は、ユーザがログインしていない段階で、ログイン画面を表示部１６１に表示する。図５は、ログイン画面の一例を示す図である。図５を参照して、ログイン画面３００は、ユーザを識別するためのユーザ識別情報が入力される領域３０１と、パスワードが入力される領域３０３と、ログインの文字が表されたログインボタン３０５とを含む。ユーザが、領域３０１にユーザ識別情報を入力し、領域３０３にパスワードを入力した後、ログインボタン３０５を指またはスタイラスペンで指示すれば、領域３０１，３０３にそれぞれ入力されたユーザ識別情報およびパスワードが後述する操作受付部６１により受け付けられ、さらに、後述する処理実行部６３により、受け付けられたユーザ識別情報およびパスワードに基づく認証処理が実行される。
【００２８】
図４に戻って、操作対象判別部５３は、画面表示制御部５７により表示されたログイン画面３００のログインボタン３０５が指示されたときに、タッチパネル制御部５１から入力される１以上の位置の座標に基づいて、タッチパネル１６５に触れた操作対象物を判別する。具体的には、タッチパネル制御部５１から入力される１以上の位置の座標の数が、予め定められたしきい値より大きければ、操作対象物を人の指と判別し、予め定められたしきい値以下ならば、操作対象物をスタイラスペンと判別する。操作対象判別部５３は、判別結果を操作体系決定部５５に出力する。
【００２９】
また、操作対象判別部５３が操作対象を判別するタイミングは、画面表示制御部５７により表示されたログイン画面３００のログインボタン３０５が指示されたときである。このため、タッチパネル制御部５１から入力される１以上の位置の座標を、ログインボタン３０５の領域に含まれる座標に制限することができ、操作対象物を判別するための演算回数を少なくすることができる。その結果、判別のための処理速度を早くすることができる。また、ユーザは、操作体系を選択するための特別な操作をすることなく、操作体系を選択することができる。
【００３０】
操作体系決定部５５は、操作対象判別部５３から入力される判別結果に基づいて、操作体系を決定する。ここでは、操作対象物がスタイラスペンを示す判別結果が入力される場合は第１操作体系に決定し、操作対象物が人の指を示す判別結果が入力される場合は第２操作体系に決定する。操作体系決定部５５は、決定結果を画面表示制御部５７および操作受付部６１に出力する。
【００３１】
画面表示制御部５７は、さらに、操作体系決定部５５からそれにより決定された操作体系が入力された後、ユーザがログアウトするまで、入力される操作体系に対応する操作画面を表示部１６１に表示する。ＨＤＤ１１６は、画面記憶部７１を有し、画面記憶部７１は、第１操作体系に対応する操作画面として第１操作体系用画面７３と、第２操作体系に対応する操作画面として第２操作体系用画面７５と、を予め記憶する。画面表示制御部５７は、操作体系決定部５５から第１操作体系を示す決定結果が入力される場合、第１操作体系用画面７３を読出し、表示部１６１に表示し、操作体系決定部５５から第２操作体系を示す決定結果が入力される場合、第２操作体系用画面７５を読出し、表示部１６１に表示する。画面表示制御部５７は、表示部１６１に表示した第１操作体系用画面７３または第２操作体系用画面７５を識別するための画面情報を操作受付部６１および処理実行部６３に出力する。
【００３２】
指示位置検出部５９は、タッチパネル制御部５１から入力される１以上の座標に基づいて、タッチパネル１６５が指示された指示位置を検出する。具体的には、タッチパネル制御部５１から１つの座標が入力される場合には、その座標を指示位置として検出し、タッチパネル制御部５１から複数の座標が入力される場合には、複数の座標の中点を指示位置として検出する。指示位置検出部５９は、検出した指示位置の座標を操作受付部６１に出力する。
【００３３】
操作受付部６１は、画面表示制御部５７より画面情報が入力され、指示位置検出部５９から指示位置が入力される。操作受付部６１は、画面情報で特定される操作画面と、指示位置とに基づいて操作を特定する。例えば、ログイン画面３００を識別するための画面情報が入力される場合、ログイン画面３００に対応して予め定められた認証処理を特定し、特定した処理のための操作を特定する。具体的には、ユーザ識別情報の入力操作、パスワードの入力操作、ログイン指示の入力の操作を特定する。そして、指示位置の座標がログイン画面３００の領域３０１に含まれるならば、ユーザ識別情報の一覧を表示部１６１に表示し、その後指示位置検出部５９から入力される指示位置の座標に表示されたユーザ識別情報を受け付ける。また、指示位置の座標がログイン画面３００の領域３０３に含まれるならば、テンキー１６３Ａから入力されるパスワードを受け付ける。さらに、操作受付部６１は、指示位置の座標がログイン画面３００のログインボタン４０５に含まれるならば、ログイン指示を受け付ける。操作受付部６１は、ログイン指示を受け付けると、ユーザ識別情報と、パスワードと、認証処理の実行コマンドと、を処理実行部６３に出力する。
【００３４】
なお、操作受付部６１がログイン指示を受け付けたとき、操作対象判別部５３にログイン指示を受け付けたことを示す信号を出力するようにし、操作対象判別部５３に操作対象を判別するタイミングを通知するようにしても良い。
【００３５】
処理実行部６３は、操作受付部６１から入力される指示に従って処理を実行する。例えば、操作受付部６１からユーザ識別情報、パスワードおよび認証処理の実行コマンドとが入力されると、操作受付部６１から入力されるユーザ識別情報とパスワードとを用いて、認証処理を実行する。
【００３６】
さらに、操作受付部６１は、画面情報で特定される画面が第１操作体系用画面７３または第２操作体系用画面７５の場合、異なる操作を特定する。以下、第１操作体系および第２操作体系の具体例を説明する。
【００３７】
図６は、第１操作体系用画面であるデータコピー画面の一例を示す図である。図６を参照して、第１操作体系用画面７３であるデータコピー画面３１０は、ＨＤＤ１１６が有する複数の記憶領域をそれぞれ識別するするための複数のボックス名を表示する領域３１７と、領域３１７で指定された記憶領域に記憶された複数の画像データの画像をそれぞれ縮小した複数のサムネイル３２１，３２３，３２５，３２７，３２９を表示する領域３１１とを含む。第１操作体系用画面７３であるデータコピー画面３１０においては、ドラッグ・アンド・ドロップの操作で、ある記憶領域に含まれる画像データを、別の記憶領域にコピーすることができる。ここでは、サムネイル３２１に対応する画像データを、ボックス名「ＢＯＸ  Ｂ」の記憶領域にコピーする操作を示している。最初に、スタイラスペン３１５でサムネイル３２１を指示すると、サムネイル３２１がドラッグされる。スタイラスペン３１５をタッチパネル１６５に接触させたまま領域３１７のボックス名「ＢＯＸ  Ｂ」が表示されている位置に移動させ、その位置でスタイラスペン３１５をタッチパネル１６５から離せば、ドラッグされたサムネイル３２１がボックス名「ＢＯＸ  Ｂ」３１９にドロップされる。この操作により、サムネイル３２１に対応する画像データが、ボックス名「ＢＯＸ  Ｂ」の記憶領域にコピーされる。
【００３８】
図４に戻って、操作受付部６１は、第１操作体系用画面７３であるデータコピー画面３１０を識別するための画面情報が入力される場合、第１操作体系用画面７３であるデータコピー画面３１０に対応して予め定められたコピー処理を特定し、特定した処理のためのドラッグ・アンド・ドロップの操作を特定する。具体的には、コピー元の画像データを指定するドラッグ操作、ＨＤＤ１１６が有するコピー先の記憶領域を指定するドロップ操作を特定する。例えば、指示位置の座標が第１操作体系用画面７３であるデータコピー画面３１０のサムネイル３２１の領域に含まれるならば、コピー元の画像データを指定するドラッグ操作が受け付けられたとしてサムネイル３２１に対応する画像データをコピー元の画像データとして受け付ける。そして、指示位置の座標が連続して変化した後に指示位置が受け付けられなくなったときに最後に受け付けられた指示位置の座標が第１操作体系用画面７３であるデータコピー画面３１０のボックス名「ＢＯＸ  Ｂ」３１９であれば、ドロップ操作が受け付けられたとして、ボックス名「ＢＯＸ  Ｂ」３１９で識別されるＨＤＤ１１６が有する記憶領域をコピー先の記憶領域として受け付ける。すなわち、第１操作体系は、指示位置の座標が連続して変化する操作、換言すれば、複数の指示位置で特定される操作である。
【００３９】
操作受付部６１は、コピー元の画像データとして受け付けたサムネイル３２１に対応する画像データのファイル名と、コピー先の記憶領域として受け付けたＨＤＤ１１６が有する記憶領域のボックス名と、コピーコマンドとを、処理実行部６３に出力する。処理実行部６３は、操作受付部６１から入力されるファイル名で特定される画像データを、ボックス名で識別される記憶領域にコピーする。
【００４０】
図７は、第２操作体系用画面であるデータ操作画面の一例を示す図である。図７を参照して、第２操作体系用画面７５であるデータ操作画面３３０は、コマンドボタン３３３〜３３６を表示する領域３３１と、ＨＤＤ１１６が有する複数の記憶領域の１つに記憶された複数の画像データの画像をそれぞれ縮小した複数のサムネイル３４３〜３４６を表示する領域３４１とを含む。コマンドボタン３３３は、選択されたデータをコピー元のデータに設定するコマンドが対応付けられており、コマンドボタン３３４は、選択されたデータを移動元のデータに設定するコマンドが対応付けられており、コマンドボタン３３５は、コピー元または移動元のデータとして選択されたデータを、選択されている記憶領域に記憶するコマンドが対応付けられており、コマンドボタン３３６は、ＨＤＤ１１６が有する複数の記憶領域を選択するための画面に表示を切り換えるコマンドが対応付けられている。
【００４１】
第２操作体系用画面７５であるデータ操作画面３３０においては、処理対象を選択する操作と、処理内容を特定する操作とで、あるボックスに含まれる画像データを処理する操作を入力することができる。ここでは、サムネイル３４３に対応する画像データをコピー元のデータとして選択する操作について説明する。例えば、最初に、サムネイル３４３を指で指示する操作で、サムネイル３２１に対応する画像データが選択される。次にコマンドボタン３３３を指で指示する操作で、コピー元のデータとして選択する処理内容が特定される。この操作により、サムネイル３４３に対応する画像データが、コピー元のデータとして選択される。
【００４２】
図４に戻って、操作受付部６１は、第２操作体系用画面７５であるデータ操作画面３３０を識別するための画面情報が入力される場合、第２操作体系用画面７５であるデータ操作画面３３０に対応して予め定められたデータ選択操作および処理特定操作を特定する。例えば、指示位置の座標が第２操作体系用画面７５であるデータ操作画面３３０のサムネイル３４３の領域に含まれるならば、処理対象とする画像データを指定するデータ選択操作が受け付けられたとしてサムネイル３４３に対応する画像データを処理対象の画像データとして受け付ける。そして、指示位置の座標が第２操作体系用画面７５であるデータ操作画面３３０のコマンド３３３〜３３６のいずれかに含まれるならば、処理特定操作が受け付けられたとして、コマンド３３３〜３３６のうち指示位置が含まれるものに対応するコマンドを受け付ける。操作受付部６１は、処理対象として受け付けられたサムネイル３４３に対応する画像データのファイル名と、受け付けられたコマンドと、を処理実行部６３に出力する。処理実行部６３は、操作受付部６１から入力されるファイル名で特定される画像データに対して、コマンドで特定される処理を実行する。
【００４３】
図８は、操作受付処理の流れの一理を示すフローチャートである。操作受付処理は、ＣＰＵ１１１が操作受付プログラムを実行することにより、ＣＰＵ１１１により実行される処理である。図８を参照して、ＣＰＵ１１１は、表示部１６１にログイン画面３００を表示する（ステップＳ０１）。そして、認証情報を受け付ける（ステップＳ０２）。認証情報は、ユーザ識別情報とパスワードとを含む。次に、ログインボタン３０５が指示されたか否かを判断する（ステップＳ０３）。ログインボタン３０５が指示されたならば処理をステップＳ０４に進めるが、そうでなければ処理をステップＳ０２に戻す。
【００４４】
ステップＳ０４においては、判定領域の検出位置をカウントする。判定領域は、ログイン画面３００のログインボタン３０５の領域である。検出位置は、タッチパネル１６５により検出される、指またはスタイラスペンで指示された位置である。具体的には、タッチパネル１６５が出力する位置の座標のうち、ログインボタン３０５の領域に含まれる座標の数をカウントする。
【００４５】
そして、カウント値がしきい値Ｔ以下か否かを判断する（ステップＳ０５）。カウント値がしきい値Ｔ以下ならば処理をステップＳ１６に進め、カウント値がしきい値Ｔを超えるならば処理をステップＳ１１に進める。しきい値Ｔは、タッチパネル１６５に人の指が触れたときの接触部分で、タッチパネル１６５が検出可能な位置の総数とすればよい。人の指のサイズに個人差があるので、タッチパネル１６５にスタイラスペンが触れたときの接触部分で、タッチパネル１６５が検出可能な位置の総数より大きな値であればよい。
【００４６】
処理がステップＳ０６に進む場合、タッチパネル１６５がスタイラスペンで指示された場合である。この場合、操作体系を第１操作体系に決定する。次のステップＳ０７においては、ＨＤＤ１１６に記憶されている第１操作体系用画面７３を読出し、表示部１６１に表示する。そして、操作を受け付けたか否かを判断する。ここでは、ステップＳ０６において決定された第１操作体系で操作が受け付けられる。そして、受け付けられた操作で特定される処理を実行し（ステップＳ０９）、処理をステップＳ１０に進める。ステップＳ１０においては、ログアウト指示を受け付けたか否かを判断する。ログアウト指示を受け付けたならば処理を終了するが、そうでなければ処理をステップＳ０７に戻す。すなわち、ユーザが認証されてログインしてからログアウトするまで、第１操作体系で操作が受け付けられる。
【００４７】
処理がステップＳ１１に進む場合、タッチパネル１６５が指で指示された場合である。この場合、操作体系を第２操作体系に決定する。次のステップＳ１２においては、ＨＤＤ１１６に記憶されている第２操作体系用画面７５を読出し、表示部１６１に表示する。そして、操作を受け付けたか否かを判断する。ここでは、ステップＳ１１において決定された第２操作体系で操作が受け付けられる。そして、受け付けられた操作で特定される処理を実行し（ステップＳ１４）、処理をステップＳ１５に進める。ステップＳ１５においては、ログアウト指示を受け付けたか否かを判断する。ログアウト指示を受け付けたならば処理を終了するが、そうでなければ処理をステップＳ１２に戻す。すなわち、ユーザが認証されてログインしてからログアウトするまで、第２操作体系で操作が受け付けられる。
【００４８】
以上説明したように本実施の形態におけるＭＦＰ１００は、タッチパネル１６５が受付面において同時に検出する位置の数に基づいて操作対象物がスタイラスペンと人の指とのいずれであるかを判別し、判別結果に基づいて、第１操作体系と第２操作体系とのいずれか一方に決定し、タッチパネルにより検出された位置に基づいて、第１操作体系と第２操作体系のうち決定されたものに従って操作を受け付ける。このため操作対処物に適した操作体系で操作を入力することができ、操作が容易となる。
【００４９】
また、タッチパネル１６５によりしきい値Ｔ以下の位置が検出される場合、操作対象物が人の指と判別し、しきい値Ｔを越える位置が検出される場合、操作対象物がスタイラスペンと判別する。このため、操作対象物を容易に判別することができる。
【００５０】
なお、上述した実施の形態においては、入力装置としてＭＦＰ１００を例に説明したが、図８に示した処理を実行するための操作受付方法またはその操作受付方法をコンピュータに実行させるための操作受付プログラムとして発明を捉えることができるのは言うまでもない。
【００５１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５２】
【図１】本発明の実施の形態の１つにおけるＭＦＰの外観を示す斜視図である。
【図２】ＭＦＰのハードウェア構成の一例を示すブロック図である。
【図３】操作パネルの一例を示す平面図である。
【図４】ＭＦＰが備えるＣＰＵの機能の一例をＨＤＤに記憶される情報とともに示す機能ブロック図である。
【図５】ログイン画面の一例を示す図である。
【図６】第１操作体系用画面であるデータコピー画面の一例を示す図である。
【図７】第２操作体系用画面であるデータ操作画面の一例を示す図である。
【図８】操作受付処理の流れの一理を示すフローチャートである。
【符号の説明】
【００５３】
５１  タッチパネル制御部、５３  操作対象判別部、５５  操作体系決定部、５７  画面表示制御部、５９  指示位置検出部、６１  操作受付部、６３  処理実行部、７１  画面記憶部、７３  第１操作体系用画面、７５  第２操作体系用画面、１１０  メイン回路、１１１  ＣＰＵ、１１２  通信Ｉ／Ｆ部、１１３  ＲＯＭ、１１４  ＲＡＭ、１１５  ＥＥＰＲＯＭ、１１６  ＨＤＤ、１１７  ファクシミリ部、１１８  カードＩ／Ｆ、１１８Ａ  フラッシュメモリ、１２０  自動原稿搬送装置、１３０  原稿読取部、１４０  画像形成部、１５０  給紙部、１６０  操作パネル、１６１  表示部、１６１  表示部、１６３  操作部、１６５  タッチパネル、３００  ログイン画面。
【図１】
2010003098.tif 000003
【図２】
2010003098.tif 000004
【図３】
2010003098.tif 000005
【図４】
2010003098.tif 000006
【図５】
2010003098.tif 000007
【図６】
2010003098.tif 000008
【図７】
2010003098.tif 000009
【図８】
2010003098.tif 000010